(57)【要約】【課題】アンテナの設置時や、メインテナンス時における電波強度を測定する場合において、希望波の正確な入力レベルを取得する地上波デジタルチューナを提供する。【解決手段】ＳＷ３３の接点を端子ｂに倒すと、希望波と妨害波の両方が存在している場合には、妨害波のみがＳＡＷフィルター１５で減衰され、除去されるため、ＲＦ−ＡＧＣのＡＧＣ検波回路２４は、希望波のみの受信電力に応じたＡＧＣ制御信号を出力する。  上記のように、ＡＧＣ制御が行われた状態において、ＲＦ−ＡＧＣのＡＧＣゲイン値、ＩＦ−ＡＧＣのＡＧＣゲイン値及びチューナの出力即ちＩＦ出力２１を測定し、これらの測定値から、正確な希望波の受信電力を算出することができる。【選択図】図１
2008005139.tif 000002
【特許請求の範囲】
【請求項１】
希望波に隣接する周波数領域に存在する妨害波を除去するバンドパスフィルターと、ＡＧＣ検波回路とを含む多段のＡＧＣ制御回路を備えた地上波デジタルチューナであって、
前記バンドパスフィルターの入出力間にスイッチを備え、
前記スイッチは、前記デジタルチューナが通常の動作を行っている場合には、前記バンドパスフィルターの入力信号に切替え、アンテナの設置時を含む前記希望波の受信入力電力を測定する場合には、前記バンドパスフィルターの出力信号に切替える動作を行い、切り替わった前記入力信号又は前記出力信号を前記ＡＧＣ検波回路に供給し、
前記多段のＡＧＣ制御回路のＡＧＣゲインを加算した総合ＡＧＣゲインと、前記地上波デジタルチューナの最終出力値とから、前記希望波の正確な受信電力値を算出するようにしたことを特徴とする地上波デジタルチューナ。
【請求項２】
前記スイッチは、前記多段のＡＧＣ回路の内、初段のＡＧＣ制御回路内に設けられたことを特徴とする請求項１に記載の地上波デジタルチューナ。
【請求項３】
前記多段のＡＧＣ制御回路は、初段のＲＦ−ＡＧＣ制御回路及び中間周波数段のＩＦ−ＡＧＣ制御回路の２段であることを特徴とする請求項１又は請求項２に記載の地上波デジタルチューナ。
【発明の詳細な説明】
【技術分野】
【０００１】
本発明は希望波信号の電界強度を正確に測定するＡＧＣ回路を有する地上波デジタルチューナに関する。
【背景技術】
【０００２】
従来、テレビ等の地上波デジタルチューナ内蔵機器においては、チューナに入力される信号の大きさ（電界強度）が変化してもＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調ＩＣへ入力される信号レベルが一定になるようになるようにＡＧＣ（Ａｕｔｏ  Ｇａｉｎ  Ｃｏｎｔｒｏｌ）が掛かるように構成されている。
【０００３】
ここで、従来の地上波デジタルチューナの構成図を示す図２及び図３を用いて、ＡＧＣの構成及び動作について概略説明する。
【０００４】
図２は、従来の地上波チューナの構成例を示すブロック図であり、図３は、入力信号レベルに対するＡＧＣゲインの関係を示すＡＧＣ特性を示す図である。
【０００５】
ＲＦ入力端子１より入力された放送波のＲＦ信号は、ＨＰＦ３で低域の不要な信号を除去した後、ＲＦアンプ４に入力され、その出力はＲＦ分配器５に入力される。
【０００６】
ＲＦアンプ４は、ＨＰＦ３及びＲＦ分配器５におけるゲインの損失を補うものであり、ＲＦ分配器５は、１つの入力信号を２分配し出力するものである。２つの出力信号の内ａはチューナの内部回路（バンド切替回路６以降）へ接続され、ｂはＲＦ分配出力端子２はと接続される。ＲＦ分配出力端子２から出てくるＲＦ信号は２台目チューナへ入力される。
【０００７】
次に、回路７，８，９はそれぞれのバンド（ＵＨＦ、ＶＨＦ−ｈｉｇｈ、ＶＨＦ−ｌｏｗ）帯域の高周波増幅回路で、ＲＦ分配器５を出た信号ａはバンド切替回路６によって選択されたバンドへ接続される。バンド切替回路６はＰＬＬ−ＩＣ２０によってどのバンドを選択するか制御される。
【０００８】
ここで、ｃを選択した場合、ＲＦ信号ａはＵＨＦバンド７にのみ出力され、ＶＨＦ−ｈｉｇｈバンド８、ＶＨＦ−ｌｏｗバンド９へは出力されない。ＢＰＦ１０は入力同調用バンドパスフィルターでＵＨＦ帯域のみを通過させ、アンプ１１はゲイン可変ＲＦアンプで、ＲＦ−ＡＧＣ端子２２に印加される電圧によってゲインが調整される。
【０００９】
ＲＦ入力端子１へ入る信号レベルが大きい場合は後段回路での歪みが発生しないようゲインが小さくなる方向に、信号レベルが小さい場合はＮＦ（雑音指数）が劣化しないようゲインが大きくなる方向に制御する。アンプ１１を出た信号はＢＰＦ１２に接続される。このＢＰＦ１２は段間バンドパスフィルターで希望する受信チャンネルのみを通過させるようにＶＣＯ（Ｖｏｌｔａｇｅ  Ｃｏｎｔｒｏｌｌｅｄ  Ｏｓｃｉｌｌａｔｏｒ）１９の発振周波数に同調して通過帯域が変化するトラッキングフィルターとなっている。
【００１０】
ＶＣＯ１９はＰＬＬ（Ｐｈａｓｅ  Ｌｏｃｋｅｄ  Ｌｏｏｐ）回路２０によって制御された電圧制御発振器（印加する同調電圧によって発振周波数が変化するもの）でＵＨＦ帯の局部発振信号を発振させる。この局部発振信号とＢＰＦ１２を出たＲＦ信号はミキサー１３によってＩＦ（中間周波数）へと周波数変換される。ここで、局部発振周波数（ｆｖｃｏ）、ＲＦ周波数（ｆｒｆ）、ＩＦ周波数（ｆｉｆ）には、
ｆｖｃｏ−ｆｒｆ＝ｆｉｆ
の関係があり、ｆｉｆは常に一定の周波数となる。
【００１１】
なお、バンド切替回路６において、ｄもしくはｅを選択した場合もそれぞれＶＨＦ−ｈｉｇｈバンド８もしくはＶＨＦ−ｌｏｗバンド９の高周波増幅器が動作する。
【００１２】
高周波増幅器回路７，８，９は処理する周波数帯が異なるがそれぞれの回路の役割はＵＨＦバンド７と同じである。ＩＦアンプ１４を出たＩＦ信号は、ＢＰＦ１５へ入力される。ＢＰＦ１５には一般的に帯域外を急峻に落とせるＳＡＷフィルターを使用し、ＢＰＦ１２で除去できない隣接チャンネルなどの不要な帯域外信号を除去する。
【００１３】
ＢＰＦ１５を出たＩＦ信号はアンプ１６を経てＩＦ出力端子２１へ出力される。アンプ１６はゲイン可変ＩＦアンプでＩＦ−ＡＧＣ端子２３に印加される電圧によってゲインが調整される。ＩＦ出力端子２１へ出力されるＩＦ信号は、ＲＦ入力端子１へ入力されるＲＦ信号がどのようなレベルでも常に一定のレベルとなるようにゲイン可変ＲＦアンプとゲイン可変ＩＦアンプで調整され、後段の復調部回路へ入力される。
【００１４】
なお、図２に示すブロック図は１例であり、ＲＦ分配出力が不要な場合、回路２，５は不要となり、また、ＶＨＦ−ｈｉｇｈとＶＨＦ−ｌｏｗを分けずに１つのバンドで処理するものなど様々な構成が考えられる。
【００１５】
次に、上記のような構成を備えた地上波デジタルチューナのＡＧＣ動作について図３を用いて説明する。
【００１６】
まず、図３に示す横軸の左端側の信号レベルが極端に弱い状態では、ＲＦ−ＡＧＣ（２２）及びＩＦ−ＡＧＣは掛からず最大ゲイン状態であり、回路全体のトータルゲインが最大となっている。
【００１７】
上記弱入力状態から徐々に入力の信号レベルが上昇すると、最初に、ＩＦ−ＡＧＣが掛かり始め、ある一定のレベル以上になると、次にＲＦ−ＡＧＣが掛かり出す。この一定のレベルのポイントのことをＴＯＰ（Ｔａｋｅ  Ｏｖｅｒ  Ｐｏｉｎｔ）と呼び、通常、チューナを使用するユーザが設定可能なようになっている。
【００１８】
ここで、あまり早く（弱入力の状態で）ＲＦ−ＡＧＣを掛けるようにすると、ＲＦ段でのゲインが落ちるためチューナ本体のＮＦが劣化する。一方、あまり遅く（強入力の状態で）ＲＦ−ＡＧＣを掛けるようにすると、ＲＦ段もしくはミキサーでの歪みが発生し易くなるため、ＴＯＰの設定には両者のバランスが重要である。
【００１９】
上記の状態から、さらに入力信号のレベルを上げていくと、最後にはＲＦ−ＡＧＣ及びＩＦ−ＡＧＣとも飽和し最小ゲインとなり、トータルゲインが最小となる。
【００２０】
このように、図３に示すトータルゲインの線領域の範囲内において、ＲＦ−ＡＧＣのゲイン値とＩＦ−ＡＧＣのゲイン値と、所定値に設定された出力レベルから、チューナへの入力信号の電界強度を知ることができる。
【００２１】
また、特許文献１にも、複数の可変利得増幅器を有し、それぞれの増幅器の出力からＡＧＣ制御信号を生成する検波器のＡＧＣ制御電圧をそれぞれの増幅器に供給し、それぞれの増幅器の出力を加算した総合利得と予め定められた信号レベルから電界強度を算出する技術が開示されている。
【００２２】
次に、希望波に隣接した領域に希望波よりレベルの大きいアナログ信号などの妨害波が入力された場合の動作について、図４を用いて説明する。
【００２３】
図４（ａ）〜図４（ｃ）までの図は、希望波のみ受信している状態における各部のＡＧＣ制御された入力レベルを示している。また、（ｄ）〜（ｆ）までは、希望波信号に隣接して希望波より大きなレベルの妨害波が存在する場合の各部のＡＧＣ制御された入力レベルを示している図である。
【００２４】
図４（ａ）は、希望波のチューナへの入力レベルを示している。(ｂ)及び（ｃ）に示すように、希望波のみ存在していることから、希望波信号のみのパワーに応じてＡＧＣが掛かるため、ＩＦ−ＡＭＰ及びＯＦＤＭ−ＩＣの入力レベルは、同じレベルに制御されることになる。
【００２５】
一方、図４（ｄ）に示すように隣接して妨害信号が存在すると、ＲＦ−ＡＧＣは、希望信号＋妨害信号に対して掛かるため、（ｂ）に示す希望波のレベルに比較してレベルが減衰する。そして、妨害波はＳＡＷフィルター１５で除去された後に、（ｆ）に示すように、希望波のレベルはＩＦ−ＡＧＣによって所定のレベル（（ｃ）に示すレベル）に制御されてＯＦＤＭ−ＩＣに入力される。
【００２６】
以上説明したように、地上波デジタルチューナにおけるＲＦ−ＡＧＣは、希望波に隣接するアナログ信号による妨害などの耐性改善のため、ミキサー出力段（ＳＡＷフィルターの前段）にＡＧＣ検波回路を設け、チューナ内部で帰還ループを構成して、ＡＧＣ制御を行っている。
【特許文献１】特開平１−３１８４３４号公報
【発明の開示】
【発明が解決しようとする課題】
【００２７】
しかしながら、従来のＲＦ−ＡＧＣの方式では、希望波より大きい隣接アナログ信号などの妨害波が入力された場合、希望波と妨害波の総合パワーに対して、ＲＦ−ＡＧＣが掛かるため、ＲＦ段やミキサー段での歪み等の発生低減に効果があるものの、希望波も減衰するため、例えば、アンテナの設置時や、メインテナンス時における電波強度を測定する場合において、希望波の正確な電波強度がわからなくなるという問題点がある。
【００２８】
そこで、本発明は、上記問題点に鑑みてなされたものであって、アンテナの設置時や、メインテナンス時における電波強度を測定する場合において、希望波の正確な入力レベルを取得する地上波デジタルチューナを提供しようとするものである。
【課題を解決するための手段】
【００２９】
上記課題を解決するために、本発明に係る地上波デジタルチューナは、以下の特徴を備えている。
【００３０】
本発明に係る地上波デジタルチューナは、希望波に隣接する周波数領域に存在する妨害波を除去するバンドパスフィルターと、ＡＧＣ検波回路とを含む多段のＡＧＣ制御回路を備えた地上波デジタルチューナであって、前記バンドパスフィルターの入出力間にスイッチを備え、前記スイッチは、前記デジタルチューナが通常の動作を行っている場合には、前記バンドパスフィルターの入力信号に切替え、アンテナの設置時を含む前記希望波の受信入力電力を測定する場合には、前記バンドパスフィルターの出力信号に切替える動作を行い、切り替わった前記入力信号又は前記出力信号を前記ＡＧＣ検波回路に供給し、前記多段のＡＧＣ制御回路のＡＧＣゲインを加算した総合ＡＧＣゲインと、前記地上波デジタルチューナの最終出力値とから、前記希望波の正確な受信電力値を算出するようにしたことを特徴とする。
【００３１】
また、本発明に係る地上波デジタルチューナにおいて、前記スイッチは、前記多段のＡＧＣ回路の内、初段のＡＧＣ制御回路内に設けられたことを特徴とする。
【００３２】
また、本発明に係る地上波デジタルチューナにおいて、前記多段のＡＧＣ制御回路は、初段のＲＦ−ＡＧＣ制御回路及び中間周波数段のＩＦ−ＡＧＣ制御回路の２段であることを特徴とする。
【発明の効果】
【００３３】
以上説明したように、本発明に係る地上波デジタルチューナによれば、多段のＡＧＣ制御ループにおける初段のＡＧＣ制御ループおいて、妨害波成分を取り除いた後に、希望波のみの成分によってＡＧＣ制御し、その各ＡＧＣ制御ゲインの合成値から希望波の正確な受信電力を算出することができるという優れた効果を奏し得る。
【発明を実施するための最良の形態】
【００３４】
以下、本発明に係る地上波デジタルチューナの一実施形態について、図面を参照して説明する。
【００３５】
図１は、本発明に係る地上波デジタルチューナのブロック図である。
【００３６】
図１は、発明の実施形態の一例であって、図中、図２と同一の符号を付した部分は同一物を表わし、基本的な構成は図に示す従来のものと同様である。
【００３７】
図１に示すように、基本構成は、従来の構成と同じであるため、各構成要素の説明]及び全体の概略動作説明は、ここでは省略する。
【００３８】
従来技術との異なる点は、スイッチ（ＳＷ）３３を新たに設けた点にある。
【００３９】
上記ＳＷ３３の動作説明を中心に以下説明する。
【００４０】
ＳＷ３３の端子ａがＳＷＡフィルターの入力即ちＩＦアンプ１４の出力側に接続されており、端子ｂは、ＳＡＷフィルターの出力即ちゲイン可変ＲＦアンプ１６の入力側に接続されている。
【００４１】
また、端子ｃは、ＡＧＣ検波回路の入力側に接続されている。このＳＷ３３は、スイッチの接点が端子ａ又は端子ｂのどちらかに切り替わるように動作する。
【００４２】
通常の動作時には、従来と同様に、ＳＷ３３の接点が端子ａに倒れており、ＩＦアンプの出力信号がＡＧＣ検波回路に入力される。
【００４３】
前述したように、希望波と妨害波の両方が存在している場合には、ＲＦ−ＡＧＣは、希望波＋妨害波のトータルパワーにより制御される。
【００４４】
一方、ＳＷ３３の接点を端子ｂに倒すと、希望波と妨害波の両方が存在している場合には、妨害波のみがＳＡＷフィルター１５で減衰され、除去されるため、ＲＦ−ＡＧＣのＡＧＣ検波回路２４は、希望波のみの受信電力に応じたＡＧＣ制御信号を出力する。
【００４５】
これにより、前述した図４（ｂ）に示したよう状態でＡＧＣ制御を行うことが可能となる。
【００４６】
ここでは、ＳＡＷフィルター１５によって、妨害波の成分を取り除いているが、その他、急峻なバンド除去フィルーであれば、デバイスの種類にはこだわらない。
【００４７】
上記のように、ＡＧＣ制御が行われた状態において、上述したように、ＲＦ−ＡＧＣのＡＧＣゲイン値、ＩＦ−ＡＧＣのＡＧＣゲイン値及びチューナの出力即ちＩＦ出力２１を測定し、これらの測定値から、正確な希望波の受信電力を算出することができる。
【００４８】
従って、アンテナの方向を定める場合の初期設置時やメインテナンス時には、ＳＷ３３の接点を端子ｂに倒して、ＲＦ−ＡＧＣ制御ループを形成することにより、希望波の受信電力を得ることができる。
【００４９】
このＳＷ３３は、図１に示すように、例えば、チューナ本体の全体の制御をも行うＰＬＬ回路２０からの制御信号を受け取って制御される。
【００５０】
なお、この制御信号は、初期設置時等にユーザによって報知信号によって発生させるようにしてもよい。
【００５１】
以上説明したように、多段のＡＧＣ制御ループにおける初段のＡＧＣ制御ループおいて、妨害波成分を取り除いた後に、希望波のみの成分によって、ＡＧＣ制御し、その各ＡＧＣ制御ゲインの合成値から希望波の受信電力を正確に算出することが可能となる。
【００５２】
尚、本発明に係る地上波デジタルチューナは、上記した実施形態に限定されるものではなく、本発明の要旨を逸脱しない範囲内において種々変更を加え得ることは勿論である。
【図面の簡単な説明】
【００５３】
【図１】本発明に係る地上波デジタルチューナのブロック図である。
【図２】従来の地上波チューナの構成例を示すブロック図である。
【図３】入力信号レベルに対するＡＧＣゲインの関係を示すＡＧＣ特性を示す図である。
【図４】（ａ）〜（ｃ）は、希望波のみ受信している状態における各部のＡＧＣ制御された入力レベルを示している図である。また、（ｄ）〜（ｆ）までは、希望波信号に隣接して希望波より大きなレベルの妨害波が存在する場合の各部のＡＧＣ制御された入力レベルを示している図である。
【符号の説明】
【００５４】
１  ＲＦ入力端子
２  ＲＦ分配出力端子
３  ＨＰＦ
４  ＲＦアンプ
５  ＲＦ分配器
６  バンド切替回路
７  ＵＨＦバンド
８  ＶＨＦ−ｈｉｇｈバンド
９  ＶＨＦ−ｌｏｗバンド
１０  ＢＰＦ
１１  ゲイン可変ＲＦアンプ
１２  ＢＰＦ（トラッキングフィルター）
１３  ミキサー
１４  ＩＦアンプ
１５  ＢＰＦ（ＳＡＷフィルター）
１６  ゲイン可変ＩＦアンプ
１７  ＶＨＦ−ｌｏｗ  ＶＣＯ
１８  ＶＨＦ−ｈｉｇｈ  ＶＣＯ
１９  ＵＨＦ  ＶＣＯ
２０  ＰＬＬ回路
２１  ＩＦ出力
２２  ＲＦ−ＡＧＣ
２３  ＩＦ−ＡＧＣ端子
２４  ＡＧＣ検波回路
２５  ＲＦ−ＡＧＣモニター端子
２６  ＯＦＤＭ復調ＩＣ
２７  ＡＤコンバータ
２８  デュアルＡＧＣ制御回路
２９  ＯＦＤＭ復調・ＦＥＣ回路
３０  ＡＧＣ１（ＲＦ−ＡＧＣ）出力端子
３１  ＡＧＣ２（ＩＦ−ＡＧＣ）出力端子
３２  ＴＳ出力端子
３３  ＳＷ
【図１】
2008005139.tif 000003
【図２】
2008005139.tif 000004
【図３】
2008005139.tif 000005
【図４】
2008005139.tif 000006